(57)【要約】【課題】例えば古新聞などを束ねるときに使用する紐体について、縛る作業が簡単で確実に行えるようにするとともに、再生処理に際して除去の必要もないようにすること。【解決手段】長さ方向の端部１ａを長さ方向中間部１ｂ側に折り返して沿わせ、ループ状のループ部２を形成するとともに、該ループ部２の基部における上記端部１ａまたは中間部１ｂ側には、上記ループ部２を縮径変形すべく摺動可能に対向部位を保持する保持部３を形成した紐体１。【選択図】    図６
2004149130.tif 000002
【特許請求の範囲】
【請求項１】
長さ方向の端部を長さ方向中間部側に折り返して沿わせ、ループ状のループ部を形成するとともに、
該ループ部の基部における上記端部または中間部側には、上記ループ部を縮径変形すべく摺動可能に対向部位を保持する保持部を形成した
紐体。
【請求項２】
前記保持部を、前記端部または中間部側に固定する固定部と、対向部位を摺動可能に束ねる摺動許容部とを有する保持部材の取り付けで形成した
請求項１に記載の紐体。
【請求項３】
紐体に巻き付け可能な長さのテープ状に形成するとともに、一方の端部には紐体に巻き付けて固定する固定部を形成し、
該固定部の隣接部位には、上記紐体の他の部位を沿わせて紐体にループ状のループ部を形成した状態に摺動可能に束ねる摺動許容部を形成し、
他方の端部には、上記固定部または摺動許容部の外側面に固定する巻き付け固定部を形成した
ループ部形成部材。
【請求項４】
パルプ化可能な紙を原料にして形成した
請求項１、請求項２、または請求項３に記載の紐体またはループ部形成部材。
【発明の詳細な説明】
【０００１】
【発明の属する技術分野】
この発明は、例えば古紙回収等に用いるのに適した紐体に関する。
【０００２】
【従来の技術】
新聞紙等の古紙は一般に合成樹脂製のテープで束ねられて回収されている。回収された古紙は、パルプ再生されることになるが、まず第１に、界面活性剤や酸、アルカリ等の薬品や機械力を使って古紙を繊維状にほぐして印刷されたインクを繊維より剥離する離解が行われる。
【０００３】
このとき、古紙を束ねているテープなどは除去されることになっているが、手間もかかる上にミスもあるため、完全に取り除くことは不可能で、どうしても混ざってしまう。混入したテープ等は異物なって、続いての除塵処理に負担がかかるなど、再生処理に際して大きな不都合となる。
【０００４】
このため、紙製の紐も存在するが、この紐は柔軟性がなく結びにくい上に、きつく結ぼうとすると切れてしまうこともある。
【０００５】
【発明が解決しようとする課題】
そこでこの発明は、縛る作業が簡単で確実に行えるようにするとともに、再生処理に際して除去の必要もないようにすることを主たる課題とする。
【０００６】
【課題を解決するための手段】
そのための手段は、長さ方向の端部を長さ方向中間部側に折り返して沿わせ、ループ状のループ部を形成するとともに、該ループ部の基部における上記端部または中間部側には、上記ループ部を縮径変形すべく摺動可能に対向部位を保持する保持部を形成した紐体であることを特徴とする。
【０００７】
すなわち、紐体には縮径可能なループ部を形成しているので、紐体を古紙などの束ねるべき物品に掛け渡して巻き付け、紐体の他端部側を上記ループ部に通して、物品を紐体できつく縛った状態にしてループ部を縮径し締め付ければ、紐体で緊結した状態となる。余った他端部は、他の部分に縛ったり絡み付けたり適宜処理すればよい。
【０００８】
前記保持部は、紐体自体を縛って、または結んで形成するもよいが、端部または中間部側に固定する固定部と、対向部位を摺動可能に束ねる摺動許容部とを有する保持部材の取り付けで形成するとよい。該保持部材は、具体的には例えば、紐体に巻き付け可能な長さのテープ状に形成するとともに、一方の端部には紐体に巻き付けて固定する固定部を形成し、該固定部の隣接部位には、上記紐体の他の部位を沿わせて紐体にループ状のループ部を形成した状態に摺動可能に束ねる摺動許容部を形成し、他方の端部には、上記固定部または摺動許容部の外側面に固定する巻き付け固定部を形成して構成するとよい。
【０００９】
また、前記ループ部の縮径が中間部側を引っ張ったときに行われるようにすべく上記端部に保持部を形成するとよい。
【００１０】
さらに、前記紐体と保持部材を、パルプ化可能な紙を原料にして形成するとよい。
【００１１】
別の手段は、紐体に巻き付け可能な長さのテープ状に形成するとともに、一方の端部には紐体に巻き付けて固定する固定部を形成し、該固定部の隣接部位には、上記紐体の他の部位を沿わせて紐体にループ状のループ部を形成した状態に摺動可能に束ねる摺動許容部を形成し、他方の端部には、上記固定部または摺動許容部の外側面に固定する巻き付け固定部を形成したループ部形成部材であることを特徴とする。
好ましくは、パルプ化可能な紙を原料にして形成するとよい。
【００１２】
【発明の効果】
上述のようにこの発明の紐体は、縮径変形可能なループ部を設け、このループ部は、保持部が保持する対向部位より下の位置を引っ張ることで、縮径変形して紐体を締め付けることができる。締め付けた後は、余った部分を適宜縛ったり絡み付けたりして処理する。上記縛りは、ループ部により既に締め付けられているので、簡単に行えばよい。このため従来のように力を込めて引っ張ったり押えたりしなくとも緊結することができ、束ねたりする作業は容易であるとともに、一体性の高い束ねが確実に行え、紐体が千切れたりすることも抑制できる。
【００１３】
またこの発明のループ部形成部材によれば、既存の、あるいは別体の紐体に対して取り付けて、紐体にループ部を形成することにより、上述のように縛りやすく確実な緊結ができる紐体を得ることができる。
【００１４】
しかも、古紙を縛る紐体として使用する場合には、上記ループ部を有した紐体やループ部形成部材、およびループ部形成部材を取り付ける紐体を、パルプ化可能な紙、換言すればリサイクル可能な紙、さらに言えば異物を含まないか異物が少ない材料で形成すれば、従来のように紐体を解かずに縛ったままの状態で古紙の再生処理が行える。作業が容易になるとともに、異物の混入を極力抑えることができる。
【００１５】
【発明の実施の形態】
この発明の一実施の形態を、以下図面を用いて説明する。
図１は、紐体１の斜視図を示し、この紐体１は例えば積層物を束ねたりするのに適したものであり、緊結しやすいように縮径変形可能なループ部２を設けている。ループ部２は、紐体１の長さ方向の端部１ａを長さ方向中間部１ｂ側に折り返して形成するとともに、ループ部２の基部には縮径変形のための保持部としてループ部形成部材３を取り付けている。
【００１６】
紐体１は、適宜の材料、適宜の断面形状に形成するとよいが、この例では、紙、特に再生紙を用いて断面円形に形成している。形成は、細長テープ状の紙に撚りをかければよい。
【００１７】
上記ループ部形成部材３を取り付けたループ部２の基部は、図２に示したような断面構造となる。すなわち、折り返した端部１ａとこれの対向部位は平行に並ぶが、上記端部１ａの方にループ部形成部材３の一端部が固定され、ループ部形成部材３の残りの部分で、上記対向部位を長さ方向に摺動可能に束ねている。つまり、上記ループ部形成部材３の下から延びている長い方、つまり中間部１ｂ側を引っ張ることで、ループ部２が縮径変形する。
【００１８】
図３はループ部形成部材３の斜視図であり、ループ部形成部材３は、揃えた紐体１に巻き付け可能な長さ、具体的には少なくともおよそ２周くらい巻き付け可能な長さに形成し、一方の端部には、紐体１の端部１ａに巻き付けて固定する固定用粘着部４を形成している。ループ部形成部材３の幅は、並列した紐体１の並列状態を充分に保ち得るように、紐体の径の何倍もの適宜寸法に設定する。
【００１９】
上記固定用粘着部４は粘着剤の塗布により形成し、１本の紐体１に少なくとも１周は巻き付けられる長さに形成している。
【００２０】
この固定用粘着部４の隣接位置、すなわち長さ方向の中間位置には、粘着剤を有しない摺動許容用非粘着部５を形成している。この摺動許容用非粘着部５の長さは、揃えた紐体を保持できる長さに設定する。好ましくは、２本の紐体１を少なくとも１周は巻ける長さに設定する。
【００２１】
摺動許容用非粘着部５に隣接する他方の端部には、上記固定用粘着部４または摺動許容用非粘着部５の外側面に固定する巻き付け用粘着部６を形成し、紐体１を束ねた巻き付け状態を保持できるように形成している。長さは強固に固定できる長さであればよい。
【００２２】
またこのループ部形成部材３も紙で形成し、より好ましくは、和紙のように柔らかくねばりのある材料がよい。
【００２３】
ループ部形成部材３の固定用粘着部４と巻き付け用粘着部６を保護するため、例えば図３に示したように離型紙７を備えておく。
【００２４】
図４はループ部形成部材３の取り付け方を示し、まず紐体１の端部１ａに、ループ部形成部材３の固定用粘着部４を巻き付けるとともに（（ａ）→（ｂ））、端部１ａを中間部１ｂ側に折り返して細長形状の穴を有したループ部２を形成する（（ｂ）→（ｃ））。そして摺動許容用非粘着部５をループ部２の基部に巻き付けて紐体１を２本揃えた後、巻き付け用粘着部６でその巻き付け状態を維持する（（ｃ）→（ｄ））。上記巻き付けは中間部１ｂ側の摺動が行えるように緩めに行う。
【００２５】
このようにしてループ部形成部材３を取り付けて形成したループ部２は、図４（ｅ）に示したようにループ部形成部材３の下に延びる中間部１ｂ側を引っ張ると、ループ部２が縮径変形する。仮想線で示したように紐体１の他端部１ｃをループ部２に通した状態で縮径変形すると、紐体１を締め付けることができる。
【００２６】
すなわち、このように構成した紐体１を用いて古新聞等の積層した物品８を縛るには、図５に示したように、物品８の必要な位置にに掛け渡して巻きつけた後、両端部を相互に結合するが、この結合は、上述の如くループ部２に紐体１の他端部１ｃを通した後ループ部２を縮径変形する。
【００２７】
具体的には図６に示したように、ループ部２に通した紐体１の他端部１ｃを逆方向に引っ張れば、紐体１はその長さ方向に沿って物品８上を摺動する。そしてループ部２の基部は端部方向に移動して物品を締め付けるとともに、ループ部２は縮径し紐体１の他端部１ｃ側を締める。余った他端部１ｃは、紐体１自体に結んだり、絡めたり、切断したりして適宜処理すればよい。
【００２８】
このように縛る作業は簡単である。しかも、紐体１を引っ張ることによりループ部２の縮径が行えるので、きつく縛り付けることが容易である。また、結び目を作って縛る場合と異なり、紙製の紐体１が不測に千切れてしまうようなこともなくすことができる。
【００２９】
その上、紐体１もループ部形成部材３も、異物を含まないパルプ化可能な紙で形成しているので、従来のように紐体１を解かずに縛ったままの状態で古紙の再生処理が行える。このため、作業が容易になるとともに、異物の混入を極力抑えることができる。
【００３０】
また上記ループ部形成部材３があれば、既存の紙製の紐体や、適宜の材料からなる別体の紐体に対して取り付けて、紐体１にループ部２を形成することにより、上述のように縛りやすく確実な緊結ができる紐体を得ることができる。
【００３１】
上記一実施の形態におけるループ部形成部材３は、この発明の保持部および保持部材に対応し、
固定用粘着部４は、固定部に対応し、
摺動許容用非粘着部５は、摺動許容部に対応し、
巻き付け用粘着部６は、巻き付け固定部に対応するも、この発明は上記構成のみに限定されるものではない。
【００３２】
例えばループ部形成部材３は、図７に示したように、紐体１の中間部１ｂ側に対して固定して、端部１ａを摺動可能に保持するもよい。端部１ａを引っ張ることでループ部２を縮径変形できる。この場合には端部１ａがループ部形成部材３から抜けてしまわないように、例えば結び目１ｄを形成したり、適宜部材を保持したりしておくとよい。
【図面の簡単な説明】
【図１】紐体の斜視図。
【図２】図１のＡ−Ａ部切断端面図。
【図３】ループ部形成部材の斜視図。
【図４】ループ部形成部材の取り付け状態および作用を示す説明図。
【図５】使用状態の説明図。
【図６】作用の説明図。
【図７】他の例に係るループ部の正面図。
【符号の説明】
１…紐体
１ａ…端部
１ｂ…中間部
２…ループ部
３…ループ部形成部材
４…固定用粘着部
５…摺動許容用非粘着部
６…巻き付け用粘着部
【図１】
2004149130.tif 000003
【図２】
2004149130.tif 000004
【図３】
2004149130.tif 000005
【図４】
2004149130.tif 000006
【図５】
2004149130.tif 000007
【図６】
2004149130.tif 000008
【図７】
2004149130.tif 000009